(57)【特許請求の範囲】
【請求項１】
前面板３０と左右の側面板４０・６０と後面板５０と糊代片５５と底面板群７０・７０・７０・７０とを、それぞれ折り目線を介して連設して、各面板の上部内面に折込み片３１・４１・６１・５１をそれぞれ折込んで貼着して、上方を開放した直方体状の紙箱本体と、蓋面板２０と前面蓋板３２と左右の側面蓋板４２・６２と後面蓋板５２とを、それぞれ折り目線を介して連設して、下方を開放した偏平直方体状に製箱し、後面蓋板５２の下辺に、後面接続片５３を谷折り線ｃを介して連設した紙箱蓋体とを、紙箱本体の後面板５０の外面上部に、紙箱蓋体の内面後面接続片５３を貼着して接続したヒンジ開閉式の紙箱において、紙箱本体の後面板５０の中央上部で、内面に折り込み片５１がある位置に横長形状の開蓋繋止孔１４を設けて、また紙箱蓋体の後面接続片５３を連設した谷折り線ｃの中央部で開蓋繋止孔１４を覆う位置に、Ｕ字状の開蓋繋止突起１５を設け、
紙箱蓋体を開蓋した際に紙箱本体の開蓋繋止孔１４に紙箱蓋体の開蓋繋止突起１５を差し込まれ開蓋状態を保持できることを特徴とするヒンジ開閉式の紙箱。
【発明の詳細な説明】
【０００１】
【発明の属する技術分野】
本発明は、粒状菓子類や顆粒状飲料や粉末洗剤などを収容する、上方を開放した直方体状に製箱した紙箱本体と、下方を開放した偏平直方体状に製箱した紙箱蓋体とを、紙箱本体の後面板の上部に、紙箱蓋体の後面接続片を貼着して接続したヒンジ開閉式の紙箱の改良に関する。
【０００２】
【従来の技術】
従来から、粒状菓子類や顆粒状飲料や粉末洗剤などを収容する、図４に示すような、前面板３０と左右の側面板４０・６０と後面板５０と糊代片５５と折込み片３１・４１・６１・５１と底面板群７０・７０・７０・７０とを、それぞれ折り目線を介して連設して、これらの折込み片３１・４１・６１・５１をそれぞれ折込んで貼着して、上方を開放した直方体状に製箱した紙箱本体と、蓋面板２０と前面蓋板３２と製箱片３４・３４と左右の側面蓋板４２・６２と製箱片４４・６４と後面蓋板５２とを、それぞれ折り目線を介して連設して、また後面蓋板５２の下辺に、後面接続片５３を谷折り線ｃを介して連設して、下方を開放した偏平直方体状に製箱した紙箱蓋体とを、紙箱本体の後面板５０の上部に、紙箱蓋体の後面接続片５３を貼着して接続した、ヒンジ開閉式の紙箱が一般に用いられている。
【０００３】
また従来から、特に小型濃縮洗剤と通称される粉末洗剤などを収容する、図５に示すような、下方を開放した偏平直方体状のプラスチック製の蓋面体８０と、封緘紙を貼着した長方形枠状のプラスチック製の枠状体８１と、適宜の前面板３０と左右の側面板４０・６０と後面板５０と底面板７０などとを連設した、上方を開放した直方体状の板紙製の容器本体８２とを、このプラスチック製の蓋面体８０とプラスチック製の枠状体８１とをヒンジ構造８３・８３を介して一体成形して、プラスチック製の枠状体８１と板紙製の容器本体８２の上端部とを強固に接着した、ヒンジ開閉式の包装容器が広く用いられている。
【０００４】
【発明が解決しようとする課題】
ところが従来の、図４に示すヒンジ開閉式の紙箱については、紙箱蓋体の後面蓋板５２の下辺に、後面接続片５３を連設した谷折り線ｃを介してのヒンジ構造であるために、この谷折り線ｃの元に戻ろうとする反発力が問題であって、紙箱蓋体を開蓋した時に、谷折りしていない谷折り線ｃの元に戻ろうとする反発力によって、紙箱蓋体の開放状態をそのまま保持できないことが多くて、また紙箱蓋体を閉蓋した時に、一旦谷折りされた谷折り線ｃの元に戻ろうとする反発力によって、紙箱蓋体の閉止状態をそのまま保持できないことが多くて、決して使い易いヒンジ開閉式の紙箱ではなかった。
【０００５】
また従来の、図５に示すヒンジ開閉式の包装容器については、開蓋や閉蓋などが容易で確実な、体裁が良くて使い易い包装容器であるものの、プラスチック製の蓋面体８０とプラスチック製の枠状体８１と板紙製の容器本体８２とから成るヒンジ開閉式の包装容器であるために、作製工程・費用などに問題があって、また使用後のプラスチック材料の廃棄処理にも問題があった。
【０００６】
そこで本発明の目的とするところは、粒状菓子類や顆粒状飲料や粉末洗剤などを収容する、作製工程・費用などが廉価で使用後の廃棄処理にも問題がない板紙製の、開蓋や閉蓋などが容易で確実な、使い易いヒンジ開閉式の紙箱を提供することにある。
【０００７】
【課題を解決するための手段】
本発明のヒンジ開閉式の紙箱は、図１・図２・図３に示すように、前面板３０と左右の側面板４０・６０と後面板５０と糊代片５５と、この上方に折込み片３１・４１・６１・５１と下辺に底面板群７０・７０・７０・７０とを、それぞれ折り目線（符号がない１点鎖線；以下同じ）を介して連設して、これら上方の折込み片３１・４１・６１・５１をそれぞれ内面側に折込んで貼着して、上方を開放した直方体状に製箱した紙箱本体と、蓋面板２０と前面蓋板３２と製箱片３４・３４と左右の側面蓋板４２・６２と製箱片４４・６４と後面蓋板５２とを、それぞれ折り目線を介して連設して、また後面蓋板５２の下辺に、後面接続片５３を谷折り線ｃを介して連設して、下方を開放した偏平直方体状に製箱した紙箱蓋体とを、紙箱本体の後面板５０の上部に、紙箱蓋体の後面接続片５３を貼着して接続したヒンジ開閉式の紙箱において、紙箱本体の後面板５０の中央上部に、横長形状の開蓋繋止孔１４を設けて、また紙箱蓋体の後面接続片５３を連設した谷折り線ｃの中央部に、深さが２ｍｍ程度のＵ字状の開蓋繋止突起１５を設けたヒンジ開閉式の紙箱である。
【０００８】
加えて、本発明のヒンジ開閉式の紙箱は、図２Ａに示すように、前記の紙箱蓋体の、前面蓋板３２と左右の側面蓋板４２・６２との下辺（図２Ａでは上辺又は左右辺）に、折込み片３３・４３・６３をそれぞれ折り目線を介して連設して、これらの折込み片３３・４３・６３をそれぞれ折込んで貼着したヒンジ開閉式の紙箱である。
【０００９】
【作用】
本発明のヒンジ開閉式の紙箱においては、上方を開放した直方体状に製箱した紙箱本体と、下方を開放した偏平直方体状に製箱した紙箱蓋体とを、紙箱本体の後面板の上部に、紙箱蓋体の後面接続片を貼着して接続した、前述した従来と同様のヒンジ開閉式の紙箱において、紙箱本体の後面板の中央上部に、横長形状の開蓋繋止孔を設けて、また紙箱蓋体の後面接続片を連設した谷折り線の中央部に、深さが２ｍｍ程度のＵ字状の開蓋繋止突起を設けたことによって、紙箱蓋体の後面蓋板の下辺に、後面接続片を連設した谷折り線を介してのヒンジ構造において、谷折り線の中央部に設けた開蓋繋止突起が、この谷折り線の元に戻ろうとする反発力を弱めるとともに、紙箱蓋体の深さが２ｍｍ程度のＵ字状の開蓋繋止突起が、紙箱本体の横長形状の開蓋繋止孔を介して、後面板の上部内面側に折込んで貼着した折込み片の内面側を押えて、紙箱蓋体を繋止してブレーキのように作用するものであって、紙箱蓋体を持上げて開蓋した時に、開蓋繋止突起がブレーキのように作用して、紙箱蓋体の開蓋状態をそのままの位置に保持できるものであって、また紙箱蓋体を押えて再び閉蓋した時には、開蓋繋止突起のブレーキ作用が解除されて、紙箱蓋体を容易に閉蓋できるものであって、開蓋や閉蓋などが容易で確実な、使い易いヒンジ開閉式の紙箱を提供することができる。
【００１０】
なお、本発明のヒンジ開閉式の紙箱における、Ｕ字状の開蓋繋止突起の深さについては、２ｍｍ程度（紙厚＋１〜２ｍｍ）が適切であって、紙箱蓋体を開蓋・閉蓋した時に、深さが１ｍｍ以下であると、開蓋繋止突起が折込み片の内面側に届かない恐れがあって、また深さが３ｍｍ以上であると、開蓋繋止突起が折込み片の内面側に押されて曲ってしまう恐れがあって、また横長形状の開蓋繋止孔の上下幅については、開蓋繋止突起が開蓋繋止孔を介して折込み片の内面側を押えるために、深さが２ｍｍ程度のＵ字状の開蓋繋止突起より、上下に１ｍｍ以上広げることが望ましい。
【００１１】
また、本発明のヒンジ開閉式の紙箱においては、紙箱本体の後面板の中央上部に、横長形状の開蓋繋止孔を設けたにもかかわらず、折込み片を後面板の上部内面側に折込んで貼着したことによって、この折込み片が横長形状の開蓋繋止孔を塞いで、粉漏れなどの恐れがないヒンジ開閉式の紙箱が得られる。
【００１２】
加えて、本発明のヒンジ開閉式の紙箱においては、前記の紙箱蓋体の、前面蓋板と左右の側面蓋板との下辺に、折込み片をそれぞれ折り目線を介して連設して、これらの折込み片をそれぞれ折込んで貼着したことによって、下方を開放した偏平直方体状に製箱した紙箱蓋体の、前面蓋板と左右の側面蓋板とを二重にして強化したものであって、紙箱蓋体の保形性などが優れた、使い易いヒンジ開閉式の紙箱を提供することができる。
【００１３】
【発明の実施の形態】
本発明のヒンジ開閉式の紙箱においては、後述する実施例に示すように、通常の印刷をした適宜のコートボール紙などの板紙を用いて、打抜型を用いた通常の打抜工程で、無駄がない長方形状の紙箱本体のブランクと紙箱蓋体のブランクとを作製して、次に従来の機械的な製箱工程で、上方を開放した直方体状に製箱した紙箱本体と下方を開放した偏平直方体状に製箱した紙箱蓋体とを作製して、続いて従来と同様の機械的な充填工程で、内容物を収容した後に、同時に紙箱本体の後面板５０の上部に、紙箱蓋体の後面接続片５３を貼着して接続できる、作製工程・費用などが廉価であって、使用後の廃棄処理にも問題がない板紙製のヒンジ開閉式の紙箱を提供することができる。
【００１４】
【実施例】
図１は、本発明の実施例における、ヒンジ開閉式の紙箱の斜視図である。
また図２Ａは、実施例のヒンジ開閉式の紙箱における、紙箱蓋体のブランクの平面図であって、図２Ｂは、紙箱本体のブランクの平面図である。
さらに図３Ａは、実施例のヒンジ開閉式の紙箱における、紙箱蓋体を開蓋する前と再び閉蓋した時との状態を示す断面図であって、図３Ｂは、紙箱蓋体を開蓋した時の状態を示す断面図である。
【００１５】
すなわち、前面板３０と左右の側面板４０・６０と後面板５０と糊代片５５と折込み片３１・４１・６１・５１と貼着式の底面板群７０・７０・７０・７０とを、それぞれ折り目線を介して連設して、後面板５０の中央上部に、５×３０ｍｍの横長形状の開蓋繋止孔１４を設けた、図２Ｂに示す紙箱本体のブランクであって、蓋面板２０と前面蓋板３２と製箱片３４・３４と左右の側面蓋板４２・６２と製箱片４４・６４と後面蓋板５２とを、それぞれ折り目線を介して連設して、また後面蓋板５２の下辺に、後面接続片５３を谷折り線ｃを介して連設して、この後面接続片５３を連設した谷折り線ｃの中央部に、２×２８ｍｍのＵ字状の開蓋繋止突起１５を設けて、加えて前面蓋板３２と左右の側面蓋板４２・６２との下辺（図２Ａでは上辺又は左右辺）に、折込み片３３・４３・６３をそれぞれ折り目線を介して連設した、図２Ａに示す紙箱蓋体のブランクであって、中間層に３０μｍのポリエチレン層を積層した４５０ｇ／ｍ2 のコートボール紙（ポリサンド紙；大昭和製紙株式会社製）を用いて、表面側に通常の印刷をして、打抜型を用いた通常の打抜工程で、本実施例のヒンジ開閉式の紙箱における、紙箱本体のブランクと紙箱蓋体のブランクとを作製した。
【００１６】
次に、図２Ｂに示す紙箱本体のブランクの、全ての符号がない１点鎖線で示す折り目線を山折り（印刷をした表面側が山になる；以下同じ）して、従来の機械的な製箱工程で、まず糊代片５５を右の側面板６０に貼着して、また貼着式の底面板群７０・７０・７０・７０をそれぞれ貼着して、さらに折込み片３１・４１・６１・５１を前面板３０と左右の側面板４０・６０と後面板５０との上部内面側にそれぞれ折込んで貼着して、縦・横・高さが７８×１３５×９６ｍｍの、上方を開放した直方体状に製箱した紙箱本体を作製した。
【００１７】
また、図２Ａに示す紙箱蓋体のブランクの、全ての符号がない１点鎖線で示す折り目線を山折りして、同様に従来の機械的な製箱工程で、まず製箱片３４・３４・４４・６４を左右の側面蓋板４２・６２と後面蓋板５２とにそれぞれ貼着して、また折込み片３３・４３・６３を前面蓋板３２と左右の側面蓋板４２・６２との内面側にそれぞれ折込んで貼着して、縦・横・高さが８１×１３９×２０ｍｍの、下方を開放した偏平直方体状に製箱した紙箱蓋体を作製した。
【００１８】
続いて、従来と同様の機械的な充填工程で、上方を開放した直方体状に製箱した紙箱本体に、内容物である小型濃縮洗剤を収容して、防湿性を有する図示しない封緘紙を貼着するなどした後に、下方を開放した偏平直方体状に製箱した紙箱蓋体を被せながら、紙箱本体の後面板５０の上部に、紙箱蓋体の予め感熱接着剤を塗布した後面接続片５３を熱圧着して強固に接続して、本発明の実施例における、図１・図３Ａに示すヒンジ開閉式の紙箱を作製した。
【００１９】
本実施例の、図１・図３Ａに示すヒンジ開閉式の紙箱において、図３Ｂに示すように、紙箱蓋体を持上げて開蓋したところ、紙箱蓋体の２×２８ｍｍのＵ字状の開蓋繋止突起１５が、紙箱本体の５×３０ｍｍの横長形状の開蓋繋止孔１４を介して、後面板５０の上部内面側に折込んで貼着した折込み片５１の内面側を押えて、紙箱蓋体を繋止してブレーキのように作用して、紙箱蓋体の開蓋状態をそのままの位置に保持できるものであって、また図３Ａに示すように、紙箱蓋体を押えて再び閉蓋したところ、開蓋繋止突起１５のブレーキ作用が解除されて、紙箱蓋体を容易に閉蓋できるものであって、開蓋や閉蓋などが容易で確実な、使い易いヒンジ開閉式の紙箱が得られた。
【００２０】
加えて、本実施例のヒンジ開閉式の紙箱においては、折込み片３１・４１・６１・５１を前面板３０と左右の側面板４０・６０と後面板５０との上部内面側にそれぞれ折込んで貼着したことによって、また折込み片３３・４３・６３を前面蓋板３２と左右の側面蓋板４２・６２との内面側にそれぞれ折込んで貼着したことによって、図３Ａ・図３Ｂに示すように、上方を開放した直方体状に製箱した紙箱本体の、前面板３０と左右の側面板４０・６０と後面板５０との上部を二重にして強化したものであって、また下方を開放した偏平直方体状に製箱した紙箱蓋体の、前面蓋板３２と左右の側面蓋板４２・６２とを二重にして強化したものであって、紙箱本体と紙箱蓋体との保形性などが優れた、使い易いヒンジ開閉式の紙箱が得られた。
【００２１】
【発明の効果】
以上、作用及び実施例に示すとおり、本発明のヒンジ開閉式の紙箱においては、上方を開放した直方体状に製箱した紙箱本体と、下方を開放した偏平直方体状に製箱した紙箱蓋体とを、紙箱本体の後面板の上部に、紙箱蓋体の後面接続片を貼着して接続したヒンジ開閉式の紙箱において、紙箱本体の後面板の中央上部に、横長形状の開蓋繋止孔を設けて、また紙箱蓋体の後面接続片を連設した谷折り線の中央部に、深さが２ｍｍ程度のＵ字状の開蓋繋止突起を設けたことによって、紙箱蓋体を持上げて開蓋した時に、紙箱蓋体の深さが２ｍｍ程度のＵ字状の開蓋繋止突起が、紙箱本体の横長形状の開蓋繋止孔を介して、後面板の上部内面側に折込んで貼着した折込み片の内面側を押えて、紙箱蓋体を繋止してブレーキのように作用して、紙箱蓋体の開蓋状態をそのままの位置に保持できるものであって、また紙箱蓋体を押えて再び閉蓋した時には、開蓋繋止突起のブレーキ作用が解除されて、紙箱蓋体を容易に閉蓋できるものであって、粒状菓子類や顆粒状飲料や粉末洗剤などを収容する、作製工程・費用などが廉価で使用後の廃棄処理にも問題がない板紙製の、開蓋や閉蓋などが容易で確実な、使い易いヒンジ開閉式の紙箱を提供することができる。
【図面の簡単な説明】
【図１】本発明の実施例における、ヒンジ開閉式の紙箱の斜視図である。
【図２】図２Ａは、実施例のヒンジ開閉式の紙箱における、紙箱蓋体のブランクの平面図であって、図２Ｂは、紙箱本体のブランクの平面図である。
【図３】図３Ａは、実施例のヒンジ開閉式の紙箱における、紙箱蓋体を開蓋する前と再び閉蓋した時との状態を示す断面図であって、図３Ｂは、紙箱蓋体を開蓋した時の状態を示す断面図である。
【図４】従来の、ヒンジ開閉式の紙箱の斜視図である。
【図５】従来の、ヒンジ開閉式の包装容器の斜視図である。
【符号の説明】
１４                    …開蓋繋止孔
１５                    …開蓋繋止突起
２０                    …蓋面板
３０                    …前面板
３１・４１・６１・５１  …折込み片
３２                    …前面蓋板
３３・４３・６３        …折込み片
３４・４４・６４        …製箱片
４０・６０              …左右の側面板
４２・６２              …左右の側面蓋板
５０                    …後面板
５２                    …後面蓋板
５３                    …後面接続片
５５                    …糊代片
７０                    …底面板群・底面板
８０                    …プラスチック製の蓋面体
８１                    …プラスチック製の枠状体
８２                    …板紙製の容器本体
８３                    …ヒンジ構造
ｃ                      …谷折り線
【図１】
0003735930.tif 000002
【図２】
0003735930.tif 000003
【図３】
0003735930.tif 000004
【図４】
0003735930.tif 000005
【図５】
0003735930.tif 000006